(57)【要約】  【課題】  内槽内に温風を送風して洗濯物を乾燥させる行程を有する洗濯乾燥機において、洗濯行程やすすぎ行程で使用する水量を低減する。  【解決手段】  筐体１の内部に外槽２を吊支し、この外槽２内に回転中心軸を略鉛直方向に有し洗濯物を収容する内槽４を回転自在に支持し、湿った温風を除湿する熱交換器２７を有する循環除湿経路２３の両端を外槽２の上部と下部に接続する。循環除湿経路２３内に、循環除湿経路２３を開閉する開閉装置２８を配置し、開閉装置２８は、洗濯、すすぎ行程で給水されている間は循環除湿経路２３を閉じ、乾燥行程では循環除湿経路２３を開放するよう構成する。【選択図】  図１
2005052283.tif 000002
【特許請求の範囲】
【請求項１】
筐体と、前記筐体の内部に吊支した外槽と、回転中心軸を略鉛直方向に有し前記外槽内に回転自在に支持し洗濯物を収容する内槽と、湿った温風を除湿する熱交換器を有し両端を前記外槽の上部と下部に接続した循環除湿経路とを備え、前記循環除湿経路内に、循環除湿経路を開閉する開閉装置を配置し、前記開閉装置は、洗濯、すすぎ行程で給水されている間は前記循環除湿経路を閉じ、乾燥行程では前記循環除湿経路を開放するよう構成した洗濯乾燥機。
【請求項２】
開閉装置は、循環除湿経路内の下方近辺に配置した請求項１記載の洗濯乾燥機。
【発明の詳細な説明】
【技術分野】
【０００１】
本発明は、内槽内に温風を送風して洗濯物を乾燥させる行程を有する洗濯乾燥機に関するものである。
【背景技術】
【０００２】
従来、この種の洗濯乾燥機は図２に示すように構成していた。以下、その構成について説明する。
【０００３】
図２に示すように、筐体１は、外槽２をサスペンション３により懸垂防振支持している。外槽２の内部に回転中心軸を略鉛直方向に有する内槽４を回転自在に設け、この内槽４の中央内底部に回転翼５を回転自在に設け、内槽４の上方に流体バランサー６を設けている。外槽２の下方にモータ７を設け、中空で二軸構造となった洗濯・脱水軸８、および洗濯または脱水時によって回転力の伝達を洗濯・脱水軸８に切り換えるクラッチ９を介して、内槽４または回転翼５に連結している。
【０００４】
乾燥用送風機１０は、ヒータ１１により加熱された温風を温風噴出口１２より内槽４内に送風するもので、筐体１の略上方に設けている。熱交換器１３は、湿った温風を除湿するもので、一端を外槽２の排水経路口１４に接続した接続ダクト１５に接続し、他端を乾燥用送風機１０に接続している。
【０００５】
排水弁１６は、接続ダクト１５からの排水と熱交換器１３からの排水とを排水ダクト１７を通して導き、排水ホース１８から機外へ排水するように構成している。外槽カバー１９は外槽２の上面を気密的に覆うもので、この外槽カバー１９に内蓋２０を開閉自在に設け、衣類の出し入れを行うようにしている。
【０００６】
循環除湿経路２１は、排水経路口１４、接続ダクト１５、熱交換器１３、乾燥用送風機１０、ヒータ１１、温風噴出口１２などで形成し、内槽４を通して温風を循環させるもので、この循環除湿経路２１内に糸くず回収装置２２を配設している（例えば、特許文献１参照）。
【０００７】
上記構成において動作を説明する。洗濯行程では、内槽４に衣類と洗剤を投入して運転を開始すると、給水弁（図示せず）を開いて内槽４内に所定量の水を給水し、伝達機構部のクラッチ９を洗濯側に設定して、モータ７の動力を洗濯軸を介し回転翼５に伝達し、回転翼５を回転させて衣類を水中で撹拌して洗濯する。その後、排水弁１６を開いて排水し、すすぎ行程で再度給水し洗濯行程と同様にして衣類をすすぐ。
【０００８】
脱水行程では、すすぎ終了後、内槽４内の水を排水弁１６を開いて排水した後、伝達機構部のクラッチ９を脱水側に切り換えて、モータ７の動力を脱水軸を介し内槽４に伝達し、洗濯物に遠心力を与えることにより、水分を洗濯物から分離することで進行する。
【０００９】
乾燥行程では、まず、回転翼５を正逆転させることにより、脱水時の遠心力で内槽４の内壁に張り付いた衣類を引き剥がした後、回転翼５を瞬間的に正逆の方向に強力に回転させて、衣類を内槽４内で上方に放り上げるように撹拌する。同時に、ヒータ１１により加熱された温風を乾燥用送風機１０により温風噴出口１２に送る。
【００１０】
温風噴出口１２より内槽４に吹き込まれた温風は、衣類から水分を蒸発させた後、外槽２の下部に設けた排水経路口１４、接続ダクト１５、熱交換器１３、乾燥用送風機１０、ヒータ１１、温風噴出口１２などで形成する循環除湿経路２１を循環する。衣類から水分を蒸発させた高温多湿空気は、外槽２および熱交換器１３を通過する際に、冷却されて除湿し、その後、再び、乾燥用送風機１０、ヒータ１１に戻ることになる。これにより、乾燥が進行する。
【００１１】
乾燥行程で、ヒータ１１により加熱され、乾燥用送風機１０により温風噴出口１２より内槽４に吹き込まれた温風は、衣類から水分を蒸発させた後、循環除湿経路２１内を循環するとき、衣類から発生した糸くず、ほこりなどは、糸くず回収装置２２に捕捉される。
【特許文献１】特開２００１−３００１９２号公報
【発明の開示】
【発明が解決しようとする課題】
【００１２】
しかしながら、このような従来の構成では、洗濯行程またはすすぎ行程で給水したとき、実際に洗濯、すすぎに必要な水は外槽２内だけであるにもかかわらず、循環除湿経路２１内にも給水されて洗濯液またはすすぎ液が溜まることとなり、水が無駄になるという問題を有していた。
【００１３】
本発明は上記課題を解決するもので、洗濯行程やすすぎ行程で使用する水量を低減することを目的としている。
【課題を解決するための手段】
【００１４】
本発明は上記目的を達成するために、筐体の内部に外槽を吊支し、この外槽内に回転中心軸を略鉛直方向に有し洗濯物を収容する内槽を回転自在に支持し、湿った温風を除湿する熱交換器を有する循環除湿経路の両端を外槽の上部と下部に接続し、循環除湿経路内に、循環除湿経路を開閉する開閉装置を配置し、開閉装置は、洗濯、すすぎ行程で給水されている間は循環除湿経路を閉じ、乾燥行程では循環除湿経路を開放するよう構成したものである。
【００１５】
これにより、洗濯行程やすすぎ行程で給水するとき、循環除湿経路内の開閉装置を閉じることにより循環除湿経路内に水が侵入することがなくなり、使用する水量を低減することができる。
【発明の効果】
【００１６】
以上のように発明によれば、湿った温風を除湿する熱交換器を有する循環除湿経路の両端を外槽の上部と下部に接続し、循環除湿経路内に、循環除湿経路を開閉する開閉装置を配置し、開閉装置は、洗濯、すすぎ行程で給水されている間は循環除湿経路を閉じ、乾燥行程では循環除湿経路を開放するよう構成したから、洗濯行程やすすぎ行程で給水するとき、循環除湿経路内の開閉装置を閉じることにより循環除湿経路内に水が侵入することがなくなり、使用する水量を低減することができる。
【発明を実施するための最良の形態】
【００１７】
本発明の請求項１に記載の発明は、筐体と、前記筐体の内部に吊支した外槽と、回転中心軸を略鉛直方向に有し前記外槽内に回転自在に支持し洗濯物を収容する内槽と、湿った温風を除湿する熱交換器を有し両端を前記外槽の上部と下部に接続した循環除湿経路とを備え、前記循環除湿経路内に、循環除湿経路を開閉する開閉装置を配置し、前記開閉装置は、洗濯、すすぎ行程で給水されている間は前記循環除湿経路を閉じ、乾燥行程では前記循環除湿経路を開放するよう構成したものであり、洗濯行程やすすぎ行程で給水するとき、循環除湿経路内の開閉装置を閉じることにより循環除湿経路内に洗濯液やすすぎ液が侵入することがなくなり、使用する水量を低減することができる。
【００１８】
請求項２に記載の発明は、上記請求項１に記載の発明において、開閉装置は、循環除湿経路内の下方近辺に配置したものであり、給水中の水が循環除湿経路にほとんど侵入することがなくなるため、洗濯行程やすすぎ行程での水量を最も効果的に低減することができる。
【実施例】
【００１９】
以下、本発明の一実施例について、図面を参照しながら説明する。なお、従来例と同じ構成のものは同一符号を付して説明を省略する。
【００２０】
図１に示すように、循環除湿経路２３は、乾燥行程で内槽４を通して温風を循環させるもので、両端を外槽２の上部と下部とに接続し、この循環除湿経路２３経路の内部に、内槽４内に送風する乾燥用送風機２４と、この乾燥用送風機２４により送風する風を加熱するヒータ２５と、衣類から発生した糸くず、ほこりなを捕捉する糸くず回収装置２６と、湿った温風を除湿する熱交換器２７を設け、さらに循環除湿経路２３内の最も下方近辺に循環除湿経路２３を開閉する開閉装置２８を配置している。
【００２１】
ここで、開閉装置２８は、洗濯行程やすすぎ行程などの給水する行程では、循環除湿経路２３を閉じ、乾燥行程では、循環除湿経路２３を開放するように構成している。
【００２２】
上記構成において動作を説明する。洗濯行程では、内槽４に衣類と洗剤を投入して運転を開始すると、給水弁（図示せず）を開いて内槽４内に給水を始める。規定水位まで給水すると自動的に給水が停止し洗濯行程が開始される。このとき、循環除湿経路２３内の開閉装置２８は循環除湿経路２３を閉じているため、循環除湿経路２３への水の浸入はない。このため、無駄な水の使用を防止することができる。
【００２３】
洗濯行程が終了すると、排水弁１６を開いて排水し、すすぎ行程で再度給水し、洗濯行程と同様にして衣類をすすぐことになる。このすすぎ行程でも開閉装置２８は閉じており、循環除湿経路２３への水の浸入はなく、使用水量を低減することができる。
【００２４】
また、開閉装置２８は循環除湿経路２３の最も下方近辺に設けているため、ほとんど循環除湿経路２３内への水の浸入はなく、効率的に節水することができる。
【００２５】
乾燥行程では、開閉装置２８を開いて循環除湿経路２３を開放し、ヒータ２５により加熱され、乾燥用送風機２４により温風噴出口１２より内槽４に吹き込まれた温風は、衣類から水分を蒸発させた後、循環除湿経路２３内を循環する。このとき、衣類から水分を蒸発させて湿った温風を熱交換器２７で除湿し、衣類から発生した糸くず、ほこりなどは、糸くず回収装置２２に捕捉する。
【００２６】
このように本実施例によれば、湿った温風を除湿する熱交換器２７を有する循環除湿経路２３の両端を外槽２の上部と下部に接続し、循環除湿経路内２３に、循環除湿経路２３を開閉する開閉装置２８を配置し、開閉装置２８は、洗濯、すすぎ行程で給水されている間は循環除湿経路２３を閉じ、乾燥行程では循環除湿経路２３を開放するよう構成したので、洗濯行程やすすぎ行程で給水するとき、循環除湿経路２３内の開閉装置２８を閉じることにより循環除湿経路２３内に水が侵入することがなくなり、使用する水量を低減することができる。
【００２７】
また、開閉装置２８は、循環除湿経路２３内の下方近辺に配置したので、給水中の水が循環除湿経路２３にほとんど侵入することがなくなるため、洗濯行程やすすぎ行程での水量を最も効果的に低減することができる。
【図面の簡単な説明】
【００２８】
【図１】本発明の一実施例の洗濯乾燥機の断面図
【図２】従来の洗濯乾燥機の断面図
【符号の説明】
【００２９】
１  筐体
２  外槽
４  内槽
２３  循環除湿経路
２７  熱交換器
２８  開閉装置
【図１】
2005052283.tif 000003
【図２】
2005052283.tif 000004